(57)【要約】【課題】オゾンガスや紫外線光により汚れを分解して消臭除菌する汚れ分解装置において、汚れの分解状況を容易に安全に確認できるようにする。【解決手段】汚れ分解装置１は、開口３を有する筐体２と、筐体２の内部空間部１０にオゾンを供給するオゾン発生部４と、筐体２内で開口３に向けて紫外線を出射する紫外線光源部５と、開口３を外部から視認するための窓部６を備える。内部空間部１０の開口３で汚れ面Ｂを含む床面Ａを覆って、前記各部により内部空間部１０内にオゾン及び紫外線を供給・出射して汚れを分解する。窓部６には、紫外線光源部５から出射された紫外線を汚れ面Ｂが吸収することにより励起される可視光を透過し、紫外線をカットする透光部材６１が設けられている。これにより、窓部６から汚れ面Ｂの汚れの分解状況を容易に安全に確認することができる。【選択図】図１
2009050582.tif 000002
【特許請求の範囲】
【請求項１】
少なくとも一部が開口した筐体と、前記筐体の内部空間にオゾンを供給するオゾン発生手段と、前記筐体内で前記開口に向けて紫外線を出射する紫外線照射手段とを備え、前記筐体をその開口に汚れを含む面が臨むように配設して前記各手段により供給・出射されたオゾン及び紫外線により汚れを分解する汚れ分解装置であって、
前記筺体は、前記開口を外部から視認するための窓部を備え、
前記窓部には、前記紫外線照射手段から出射された紫外線を前記汚れが吸収することにより励起される可視光を透過し、紫外線をカットする部材が設けられていることを特徴とする汚れ分解装置。
【請求項２】
前記紫外線照射手段は、前記筐体の内部空間に臨む一内面に配設され、
前記窓部は、前記紫外線照射手段から出射された光が前記開口に臨ませた汚れを含む面により反射される方向位置に配設されていることを特徴とする請求項１に記載の汚れ分解装置。
【発明の詳細な説明】
【技術分野】
【０００１】
本発明は、紫外線やオゾンを用いて汚れを分解して消臭除菌等を行う汚れ分解装置に関する。
【背景技術】
【０００２】
従来、建物内におけるフローリングや壁などに付着した汚れを取り除くには、洗剤などを付けた布等により拭き取っていた。しかし、フローリングの微小な隙間や、木材の微細孔に入ってしまった汚れを拭き取るのが困難な場合があった。また、拭き取った布自体の汚れを殺菌する必要があった。そこで、このような汚れを取るために、汚れを密閉空間で覆って、この空間内に、一定時間の間、消臭殺菌効果の高い波長を発生させる殺菌灯により紫外線光を汚れ部分に照射したり、空気中の微生物などに対する強力な殺菌作用を有するオゾンを供給することにより、消臭殺菌することが行われている。しかし、このような消臭殺菌では、オゾンガス、紫外線光がともに人体に有害なため、これらが漏れないように汚れ部分を密閉して行われるので、密閉内の汚れの分解状況を容易に確認することができなかった。従って、消臭殺菌を終了するために、どのタイミングでガスの噴射、紫外線光の照射を止めるべきかの的確な判断をすることが困難な場合があった。
【０００３】
ところで、本体に設けた殺菌灯で生成されたオゾンを、カバーを兼ねた２つのオゾン排出部に供給し、これら２つのオゾン排出部で除菌対象物の汚れたハンデイモップの外周を被覆し、この被覆した空間内にオゾンを排出することにより殺菌、脱臭する用具殺菌・脱臭装置が知られている（特許文献１参照）。しかしながら、この装置は、除菌対象物をオゾン排出部で密閉して除菌するので、密閉内の汚れの分解状況を把握することができず、除菌作業の終了を的確に判断をすることが困難であった。このため、除菌のやり直しなどにより作業時間が長く掛かることがあった。
【特許文献１】特開２００１−２４５９６１号公報
【発明の開示】
【発明が解決しようとする課題】
【０００４】
本発明は、上記の問題を解決するためになされたものであり、消臭除菌のために密閉空間内でオゾンガスや紫外線光を供給・照射して汚れを分解する際、汚れの分解状況を容易に安全に確認することができる汚れ分解装置を提供することを目的とする。
【課題を解決するための手段】
【０００５】
上記目的を達成するために請求項１の発明は、少なくとも一部が開口した筐体と、前記筐体の内部空間にオゾンを供給するオゾン発生手段と、前記筐体内で前記開口に向けて紫外線を出射する紫外線照射手段とを備え、前記筐体をその開口に汚れを含む面が臨むように配設して前記各手段により供給・出射されたオゾン及び紫外線により汚れを分解する汚れ分解装置であって、前記筺体は、前記開口を外部から視認するための窓部を備え、前記窓部には、前記紫外線照射手段から出射された紫外線を前記汚れが吸収することにより励起される可視光を透過し、紫外線をカットする部材が設けられているものである。
【０００６】
請求項２の発明は、請求項１に記載の汚れ分解装置において、前記紫外線照射手段は、前記筐体の内部空間に臨む一内面に配設され、前記窓部は、前記紫外線照射手段から出射された光が前記開口に臨ませた汚れを含む面により反射される方向位置に配設されているものである。
【発明の効果】
【０００７】
請求項１の発明によれば、筐体に設けた窓部により、汚れが紫外線を吸収することにより励起される可視光を透過し、紫外線をカットするので、ユーザは、筐体で汚れを覆った状態で、汚れの分解状況を目視により容易に、かつ、不要な刺激を受けることがなく、安全に確認することができる。これにより、常時、分解状況を把握でき、どのタイミングでオゾンガスの噴射、紫外線光の照射を止めるべきかを的確に判断できるので、汚れ分解による消臭殺菌を効率的に行うことができる。
【０００８】
請求項２の発明によれば、汚れが紫外線を吸収することにより励起される可視光を効率良く窓部へ透過させることができるので、汚れの分解状況を精度良く目視確認できる。
【発明を実施するための最良の形態】
【０００９】
以下、本発明の第１の実施形態に係る汚れ分解装置（以下、本装置という）について、図１乃至図３を参照して説明する。本装置１は、開口３を有する略矩形状の筐体２と、筐体２の内部空間部１０（内部空間）にオゾンを供給するオゾン発生部（オゾン発生手段）４と、筐体２内で開口３に向けて紫外線を出射する紫外線光源部（紫外線照射手段）５と、開口３を外部から視認するための窓部６とを備える。また、オゾン発生部４、紫外線光源部５などは、電源コード５０を介して外部ＡＣ電源に接続される。
【００１０】
（筐体）
筺体２は、開口３を持つ内部空間部１０と、窓部６と、開口３を囲み消臭除菌対象の床面Ａに接する底面部７とを備えている。また、筺体２は、オゾン発生部４及び紫外線光源部５を収納又は設置するための支持体を兼ねており、オゾン発生部４及び紫外線光源部５は、筐体２の内部空間部１０に臨む一内面に配設されている。また、筺体２は、消臭殺菌の際、床又は壁等（床面Ａ）における消臭殺菌対象である汚れ面Ｂ上に設置される。このとき、内部空間部１０が汚れ面Ｂを覆うと、底面部７は汚れ面Ｂのある床面Ａに接触され、内部空間部１０と床面Ａは、略密閉空間を形成する。この密閉空間に、オゾン発生部４、紫外線光源部５よりオゾン及び紫外線が供給・出射されることにより、汚れ面Ｂの汚れが分解され、消臭殺菌される。なお、消臭殺菌する床面Ａの部材としては、フローリング、絨毯、畳など一般の住宅にある全ての種類の床材が対象となる。
【００１１】
窓部６は、筐体２の上面にあって、紫外線光源部５から出射された光が開口３に臨ませた汚れ面Ｂを含む床面Ａにより反射される方向位置に配設され、この窓部６には、紫外線光源部５から出射された紫外線を汚れ面Ｂが吸収することにより励起される可視光を透過し、紫外線をカットする透光部材６１が設けられている。これにより、筐体２で床面Ａを覆ったとき、ユーザは目視で内部空間部１０の開口３に位置された汚れ面Ｂを観察でき、かつ紫外線による不要な刺激を受けることがない。また、汚れが励起する可視光は、紫外線光源部５から出射された光が反射する窓部６の方向に出射される。
【００１２】
（オゾン発生部）
オゾン発生部４は、例えば、対向した電極間に高周波高電圧を印加して、空気の一部をオゾン化させることによりオゾンを発生させるものであり、オゾンにより汚れを分解させて消臭殺菌する。このオゾン発生部４は、内部空間部１０を床面Ａに設置して形成される略密閉空間にオゾンガスを噴霧する。このオゾンガスは、略密閉空間内に充満され、オゾン濃度が高められて、床面Ａの汚れ面Ｂの汚れを分解して消臭殺菌する。
【００１３】
（紫外線光源部）
紫外線光源部５は、消臭殺菌効果の高い波長を発生させるものであり、光源として消臭殺菌用紫外線灯等を用いる。この紫外線光源部５の光源からは、１００〜２８０ｎｍにピークを持つ紫外線（ＵＶ−Ｃ）、または、２８０〜３１５ｎｍの波長成分を持つ紫外線（ＵＶ−Ｂ）のどちらか一方の紫外線が、内部空間部１０と床面Ａとによる略密閉空間内に出射され、汚れ面Ｂを照射する。この消臭殺菌用の紫外線は、波長区分により消臭力殺菌力が相違し、紫外線（Ｕ・Ｖ−Ｃ）は、強力な消臭殺菌を必要とする場合に、紫外線（ＵＶ−Ｂ）は、床面等を損傷させたくない場合にそれぞれ使用される。また、この紫外線は、尿素やアンモニア等で構成される汚れ部分に照射され、吸収されることにより可視光を励起する紫外線光である。従って、汚れ部分に紫外線を照射することにより、可視光が励起され、窓部６を通して外部に放射されるので、ユーザはこの可視光により汚れ部分を視認することができる。
【００１４】
上記筐体２の紫外線が照射される内部空間部１０の各内面は、紫外線を反射し易い部材で形成される。この反射部材は、例えば、金属製部材（ステンレス（例：ＳＵＳ３０４）、アルミ、アルマイト等）や金属表面処理（クロムメッキ、アルミ蒸着、金メッキ、金蒸着、銀メッキ、銀蒸着品等）や樹脂成形品（アルミなどの金属を樹脂の中に含有した金属フレークを成形したもの）等を使用できる。但し、窓部６の透光部材６１は、可視光を透過できる部材とする。
【００１５】
また、内部空間部１０の各内面は、内部空間部１０内にオゾンが充満されるので、オゾンで劣化し難い部材で形成される。このオゾンで劣化し難い部材は、例えば、金属製部材（ＳＵＳ３０４のようなステンレス、表面を陽極酸化被膜処理したアルミニウム等）、一般磁器、アルミナ磁器、エンジニアリングプラスチック／ポリイミド樹脂（例えば、デュポン社製ベスペル、東レ・デュポン社製カプトンフィルム等）、及びＰＥＥＫ（ポリエーテルエーテルケトン、ｐｏｌｙｅｔｈｅｒｅｔｈｅｒｋｅｔｏｎｅ）樹脂（例えば、ビクトレックス・エムシー社製ベクトラ等）等を使用できる。但し、窓部６の透光部材６１は、可視光を透過できる部材とする。
【００１６】
上記のように構成された本装置１を用いた消臭殺菌の手順について説明する。まず、ユーザが目視等により、予め汚れ面Ｂの位置を見付けておく。次に、内部空間部１０により、汚れ面Ｂを含む床面Ａを覆って密閉し、内部空間部１０と床面Ａとによる略密閉空間を形成する。この略密閉空間内に、オゾン発生部４をオンしてオゾンを発生させて充満させ、同時に紫外線光源部５をオンして消臭殺菌用の紫外線Ｌ１（ＵＶ−Ｂ又はＵＶ−Ｃ）を出射する。
【００１７】
紫外線光源部５からの紫外線Ｌ１は、上記略密閉空間内で、開口３を臨む方向に出射され、開口３内に位置された汚れ面Ｂを照射する。また、オゾン発生部４から発生したオゾンガスは、数秒間で内部空間部１０の略密閉空間内に充満される。略密閉空間内で、紫外線Ｌ１が照射され、オゾンガスが充満され続けると、紫外線Ｌ１及びオゾンの作用により、汚れ面Ｂから汚れが徐々に分解されていく。このとき、汚れ面Ｂの分解されていない汚れ部分からは、紫外線を吸収して可視光Ｌ２が励起される。この可視光Ｌ２により、窓部６から汚れ面Ｂの汚れの分解状況を確認することができる。従って、汚れの分解を確認できた場合に、電源をオフし、オゾン発生部４と紫外線光源部５を同時に停止して、汚れ分解作業を終了する。
【００１８】
このように、本実施形態によれば、筐体２に設けた窓部６により、汚れが紫外線Ｌ１を吸収することにより励起される可視光Ｌ２を透過し、紫外線Ｌ１をカットするので、ユーザは、筐体２で汚れを覆った状態で、汚れの分解状況を目視により容易に、かつ、不要な刺激を受けることがなく、安全に確認することができる。これにより、常時、分解状況を把握でき、どのタイミングでオゾンガスの噴射、紫外線光の照射を止めるべきかを的確に判断できるので、汚れ分解による消臭殺菌作業を効率的に行うことができる。
【００１９】
また、窓部６が、紫外線光源部５から出射された光が床面Ａにより反射される方向位置に配設されているので、汚れが紫外線Ｌ１を吸収することにより励起される可視光Ｌ２を効率良く窓部６へ透過させることができ、汚れの分解を精度良く確認することができる。
【００２０】
また、紫外線が照射される内部空間部１０の各内面を、紫外線を反射し易い部材で形成したことにより、内部空間部１０内面の紫外線に対する反射効率が高まり、紫外線を汚れ面Ｂに集中して照射することができ、従って、効率良く短時間で消臭殺菌処理を行うことができる。また、紫外線を内部空間部１０内面で反射させて、吸収し難くできるので、その構成部材の紫外線による劣化を防ぐことができる。
【００２１】
また、オゾンが充満される内部空間部１０の各内面を、オゾンで劣化され難い部材で形成することにより、例えば、汚れ分解処理を効率良く行うために、オゾンを高濃度に噴霧した場合や、汚れ分解による汚れ分解を長期間実施した場合にも、部材が劣化せずに安全に使用することができる。
【００２２】
（第２の実施形態）
次に、本発明の第２の実施形態に係る汚れ分解装置について、図４及び図５を参照して説明する。本装置１は、筐体２に、筺体２を手で移動するための取手棒９を設けた点が異なり、その他の構成は、前述実施形態と同様である。
【００２３】
筐体２には、一側面側の中央部に凹部を成す、取手棒９を取り付ける取り付け部８が形成され、この取り付け部８には、取手棒９の一方の先端が筐体２の上下方向に回転自在に取り付けられている。ユーザは、筺体２の窓部６を上面にして、内部空間部１０で床面Ａを覆って設置した状態で、取手棒９を前後左右に動かすことにより、筺体２を床面Ａ上で滑らせながら移動させることができる。これにより、ユーザが立ったまま、窓部６から汚れを視認しながら筺体２を容易に移動できるので、床面Ａ上に複数の汚れ面Ｂが存在しても、筺体２を順次動かして、素早く汚れの分解処理を行うことができる。
【００２４】
（第３の実施形態）
次に、本発明の第３の実施形態に係る汚れ分解装置について、図６乃至図１０を参照して説明する。本装置１は、汚れ面Ｂを確認するための汚れ確認用光源部１１をさらに有し、筺体２が略矩形状の本体部２０と、本体部２０に対向する位置に配置される蓋部３０と、本体部２０及び蓋部３０を繋ぐ折畳み部４０とにより形成されたものである。
【００２５】
（本体部）
本体部２０は、オゾン発生部４又は紫外線光源部５を収納又は設置するための支持体であって、蓋部３０の一端が着脱及び回転自在に取り付けられる。また、蓋部３０には、窓部６が設けられている。蓋部３０を本体部２０に対して開放させることにより、筺体２には、本体部２０、蓋部３０、及び折畳み部４０により囲まれたテント状の内部空間部（テント状空間部という）（内部空間）１０ａが形成される。このテント状空間部１０ａは、汚れの分解、消臭殺菌の際、床又は壁等（床面Ａ）における消臭殺菌対象である汚れ面Ｂ上に設置される。本体部２０、蓋部３０、及び折畳み部４０の床面Ａと接する各縁部は、筺体２の底面部７を成し、テント状空間部１０ａは、底面部７で囲まれた開口３を有する。この底面部７が床面Ａと接することにより、テント状空間部１０ａと床面Ａは、略密閉空間を形成する。
【００２６】
また、紫外線光源部５は、本体部２０のテント状空間部１０ａに臨む面に配設され、窓部６は、紫外線光源部５から出射された光が開口３に臨ませた汚れ面Ｂを含む床面Ａにより反射される方向位置に配設されている。これにより、紫外線Ｌ１を吸収した汚れが励起する可視光は、紫外線Ｌ１が床面Ａで反射される窓部６の方向に放射される。また、オゾン発生部４は、テント状空間部１０ａを床面Ａに設置して形成される略密閉空間にオゾンガスを噴霧し、略密閉空間内の床面Ａの汚れ面Ｂを消臭殺菌する。なお、オゾン発生部４又は紫外線光源部５は、蓋部３０又は折畳み部４０に格納又はそれらの表面に設置されても構わない。
【００２７】
（蓋部）
蓋部３０は、折畳み部４０を折畳んで閉じたとき、本体部２０上の紫外線光源部５を覆い、本体部２０に略平行に接するように配設され、本体部２０開放されると、紫外線光源部５及びオゾン発生部４が露出される。
【００２８】
（折畳み部）
折畳み部４０は、本体部２０と蓋部３０の間に設置され、図８（ａ）、（ｂ）に示されるように、蓋部３０が本体部２０から開放されると、テント状空間部１０ａが形成され、このとき、汚れの付着した部屋の床面や壁との隙間を塞いで、略密閉空間を構成する。この折畳み部４０は、蓋部３０を閉じるとき、図９（ａ）に示すように、折畳み部４０を２つに略対称に折畳む折畳み線４１が白矢印方向に折畳まれ、図９（ｂ）に示すように、ほぼ完全に折畳まれると、全体の厚みが薄くなり、本装置１は小型でコンパクトな形状になり、持ち運び易くなる。
【００２９】
（汚れ確認用光源部）
汚れ確認用光源部１１は、本体部２０の端部２１に設けられユーザが汚れ位置を確認するための紫外線光を照射するものである。この紫外線は、汚れ部分に照射され、吸収されることにより可視光を励起する紫外線光（例：３１５〜４００ｎｍの波長範囲の紫外線ＵＶ−Ａ）であり、この紫外線ＵＶ−Ａは、尿素やアンモニア等で構成される汚れ部分に吸収されると、可視光を励起する。この可視光により、ユーザは汚れ部分を目で確認することができる。
【００３０】
また、汚れ確認用光源部１１の光源は、砲弾型ＬＥＤを取り付けた点光源から成り、本体部２０の端部２１に固定されている。また、点光源の前面にはレンズ（不図示）が取り付けられており、蓋部３０を折畳んだときに、懐中電灯のように比較的に狭い範囲を効果的に照射できるようになっている。この汚れ確認用光源部１１の使用状態を、図１０に示す。ユーザは、蓋部３０を閉じた状態の本装置１を持ち上げて汚れ確認用光源部１１からの照射光Ｃで床面Ａを照らすことにより、予め汚れ面Ｂを見付けておくことができる。
【００３１】
汚れ確認用光源部１１の光源を、点光源でなく細長い紫外線蛍光管として本体部２０内に設置した構成としてもよい。この構成においては、テント状空間部１０ａを組み立てた状態で、開口面全体を略一様に汚れ確認用の紫外線を照射することができる。これにより、汚れ面Ｂを確認する際、開放状態の本装置１全体を持ち上げるだけで、汚れ面Ｂの位置を見つけることができる。
【００３２】
上記本体部２０、蓋部３０及び折畳み部４０等のオゾン及び紫外線が供給・照射されるテント状空間部１０ａの各内面は、前記と同様に、オゾンで劣化し難い部材及び紫外線を反射し易い部材で形成される。
【００３３】
上記のように構成された本装置１を用いた消臭殺菌の手順について説明する。まず、ユーザが目視又は、汚れ確認用光源部１１により汚れ確認用紫外線を照射し、予め汚れ面Ｂの位置を見付けておく。このとき、紫外線光源部５は、ユーザの目を保護するために、オフしておく。次に、本体部２０から蓋部３０を開放してテント状空間部１０ａを形成し、このテント状空間部１０ａにより、汚れ面Ｂを含む床面Ａを覆って密閉し、このテント状空間部１０ａと床面Ａとによる略密閉空間を形成する。この略密閉空間内に、オゾン発生部４をオンしてオゾンを発生させて充満させ、同時に紫外線光源部５をオンして消臭殺菌用の紫外線Ｌ１（ＵＶ−Ｂ又はＵＶ−Ｃ）を照射する。
【００３４】
紫外線光源部５から照射された紫外線Ｌ１は、上記略密閉空間内で、直接的に、又はテント状空間部１０ａの各内側表面で反射されながら間接的に汚れ面Ｂに到達する。従って、テント状空間部１０ａ内の個々の内側表面の反射特性を最適化することによって、汚れ面Ｂに略均一に紫外線を照射することができる。また、オゾン発生部４から発生したオゾンガスは、数秒間でテント状空間部１０ａ内に充満される。
【００３５】
上記略密閉空間内で、紫外線Ｌ１が照射され、オゾンガスが充満され続けると、汚れ面Ｂから汚れが徐々に分解される。従って、前記と同様に、この汚れの分解状況を、窓部６から目視で確認し、汚れの分解を確認できたら、電源をオフして消臭殺菌作業を終了し、折畳み部４０を畳んで蓋部３０を閉じればよい。
【００３６】
このように、本実施形態によれば、蓋部３０を本体部２０に対して開放するだけでテント状空間部１０ａを形成して本装置１を簡単に設置できると共に、テント状空間部１０ａを折畳んで小さく、コンパクトにできるので、容易に持ち運ぶことができる。
【００３７】
また、窓部６と紫外線光源部５とは、２つの折畳み線４１を結んだ面に略対称に配置されるので、汚れが紫外線Ｌ１を吸収することにより励起される可視光Ｌ２をより効率良く窓部６へ透過させることができ、汚れの分解をさらに精度良く確認することができる。
【００３８】
なお、本発明は上記各種の実施形態の構成に限定されるものではなく、発明の趣旨を変更しない範囲で適宜に種々の変形が可能である。上記各実施形態において、筐体の底面部に、ゴムパッキンのようなゴム状物質、又は起毛状物質で形成し、軟性を持たせた接触部を構成にすることにより、筺体と床面とをより密着して接触させることができ、密閉空間の密封をより確実に行うことができる。また、被消臭殺菌場所の広さに応じて複数個の汚れ分解装置を取り付けてもよい。
【図面の簡単な説明】
【００３９】
【図１】本発明の第１の実施形態に係る汚れ分解装置の斜視図。
【図２】上記汚れ分解装置の底面側からみた斜視図。
【図３】（ａ）は上記汚れ分解装置の底面図、（ｂ）は同装置の断面図。
【図４】本発明の第２の実施形態に係る汚れ分解装置の斜視図。
【図５】上記汚れ分解装置の断面図。
【図６】本発明の第３の実施形態に係る汚れ分解装置の斜視図。
【図７】上記汚れ分解装置の底面図。
【図８】（ａ）は上記汚れ分解装置の側面図、（ｂ）は同装置の断面図。
【図９】（ａ）は上記汚れ分解装置の折畳み途中の側面図、（ｂ）は同装置の折畳み後の側面図。
【図１０】上記汚れ分解装置の汚れ確認用光源部の使用状態を示す図。
【００４０】
１  汚れ分解装置
２  筺体
３  開口
４  オゾン発生部（オゾン発生手段）
５  紫外線光源部（紫外線照射手段）
６  窓部
１０  内部空間部（内部空間）
１０ａ  テント状空間部（内部空間）
【図１】
2009050582.tif 000003
【図２】
2009050582.tif 000004
【図３】
2009050582.tif 000005
【図４】
2009050582.tif 000006
【図５】
2009050582.tif 000007
【図６】
2009050582.tif 000008
【図７】
2009050582.tif 000009
【図８】
2009050582.tif 000010
【図９】
2009050582.tif 000011
【図１０】
2009050582.tif 000012